(57)【要約】マイクロホンと、メモリ配置と、制御ユニットとを有する情報データセット用再生装置に関する。音声マーカーは、マイクロホンにより記録される。メモリ配置は、夫々の情報データセットに関連して音声マーカーを保存する。更に、制御ユニットは、メモリ配置と、マイクロホンとに結合されている。情報データセット用再生装置の動作方法では、関連する音声マーカーを伴わない情報データセットの認識が音声マーカーの記録を始動させ、新しく記録された音声マーカーは、関連する情報データセットに関連して保存される。
2007519152.tif 000002
【特許請求の範囲】
【請求項１】
情報データセットの再生装置であって、
音声マーカーを記録するマイクロホンと、
夫々の情報データセットに関連して前記音声マーカーを保存するメモリ配置と、
前記マイクロホン及び前記メモリ配置へ結合された制御ユニットと、
を有する再生装置。
【請求項２】
前記音声マーカーを再生するラウドスピーカーを更に有することを特徴とする、請求項１記載の再生装置。
【請求項３】
前記情報データセットのうちの少なくとも１つは、前記メモリ配置に保存されることを特徴とする、請求項１又は２記載の再生装置。
【請求項４】
光学データ記憶媒体用の読み込みユニットは存在し、前記制御ユニットへ結合されることを特徴とする、請求項１乃至３のうちいずれか一項記載の再生装置。
【請求項５】
１つの情報データセットを選択するための少なくとも１つの制御要素を有するユーザインターフェースを更に有することを特徴とする、請求項１乃至４のうちいずれか一項記載の再生装置。
【請求項６】
記録された音声マーカーをデジタル音声マーカーに変換するためのアナログ−デジタル変換ユニットを有することを特徴とする、請求項１乃至５のうちいずれか一項記載の再生装置。
【請求項７】
デジタル−アナログ変換ユニットは、デジタル音声マーカーをアナログ音声マーカーに変換するために存在することを特徴とする、請求項１乃至６のうちいずれか一項記載の再生装置。
【請求項８】
変換ユニットは、情報データセットを圧縮及び／又は復元するために存在することを特徴とする、請求項１乃至７のうちいずれか一項記載の再生装置。
【請求項９】
前記メモリ配置の少なくとも１つのメモリモジュールは、当該再生装置から取り外し可能であるように構成されることを特徴とする請求項１乃至８のうちいずれか一項記載の再生装置。
【請求項１０】
情報データセット用の再生装置を動作させる方法であって、
関連した音声マーカーを伴わない情報データセットを認識するステップと、
音声マーカーを記録するステップと、
前記情報データセットに関連して前記音声マーカーを保存するステップと、
を有する方法。
【請求項１１】
情報データセットに関連づけられた音声マーカーを再生するステップと、
ユーザによる前記情報データセットの選択ステップと、
を更に有することを特徴とする、請求項１０記載の方法。
【請求項１２】
光学データ記憶媒体による情報データセットの読み込みステップと、
非圧縮又は圧縮の形で前記情報データセットを保存するステップと、
を更に有することを特徴とする、請求項１０又は１１記載の方法。
【発明の詳細な説明】
【技術分野】
【０００１】
本発明は、情報データセット用の再生装置及びそのような再生装置の動作方法に関する。
【背景技術】
【０００２】
例えば、ＣＤ、ＤＶＤ、ＭＤ再生装置、ＣＤ再生ユニット付きカーラジオ、ＭＰ３プレーヤー、場合によりハードディスクを有するＣＤレコーダ、等のような情報データセット用の再生装置は、その動作のために装置自体にリモートコントロール部を有する。コントロール部は、カーラジオの場合には、運転手が自身の注意を道路から離さずにカーラジオを操作することができるという意味でカーラジオの操作を改善するように、自動車のステアリングホイールにしばしば一体化される。しかし、カーラジオが更に複雑な機能を有する場合には、カーラジオとの対話は、カーラジオの表示部及び付属の制御部を介してのみ可能である。
【発明の開示】
【発明が解決しようとする課題】
【０００３】
従って、本発明は、再生装置の動作の容易さが向上した情報データセット用の再生装置及びそのような再生装置の動作方法を提供することを目的とする。
【課題を解決するための手段】
【０００４】
本願において、情報データセットは、例えば、ＰＣＭ又はＭＰ３形式での音楽トラック、歌若しくは会話文の列である。１つのこのような列は、単一の項目（一曲）のみからなっても良い。
【０００５】
メモリユニットは、１つ又は幾つかのメモリモジュールを有しても良く、それは、メモリユニット又はメモリモジュールが再生装置から取り出し可能であるように設けられても良い。
【０００６】
音波を電磁信号に変換可能であることがマイクロホンの特徴である。従って、逆モードで動作するラウドスピーカーは、また、マイクロホンであると考えられるべきである。
【０００７】
請求項１記載の再生装置は、多数の情報データセットを取り扱うことと、音声マーカーが夫々の情報データセットに関してマイクロホンを介して記録されて、関連する１つの情報データセットに関連して保存されることで、後にユーザの選択を容易にすることとに関する可能性を提供する。その場合に、制御ユニットは、情報データセットが関連した保存音声マーカーを有さない場合を認識し、音声マーカーを記録するために然るべくマイクロホンを作動させる。ユーザは、視覚的又は聴覚的に、音声マーカーの記録が為されるべき事実に気づかされる。次に、情報データセットへの次なるアクセスが、例えば、音声マーカーを聴き、音声マーカーの内容を基に情報データセットを選択することによって、起こる。これは、ユーザが、ひどく読みにくい表示部を介して又は複数の制御要素により、再生装置と交信する必要がないことを意味する。
【０００８】
更なる実施例では、再生装置はラウドスピーカーを有する。このとき、ユーザは、スタート（ＳＴＡＲＴ）ボタンを押すことによって、保存された音声マーカーの再生を始動させることができる。その後、ユーザは、もう一度スタートボタンを押すことによって、又は、再生（ＰＬＡＹ）ボタンを押すことによって、音声マーカーが関連づけられる情報データセットを選択する。従って、情報データセットは、具体的には自動車環境で、ユーザが自身の注意を道路からそらす必要性を伴わずに選択されうる。関連した保存音声マーカーがない場合には、ユーザは、情報データセットの可能な選択を調べ、情報データセットのうちの１つを選択するように、例えば表示部を見なければならないであろう。
【０００９】
電磁信号を音波に変換することがラウドスピーカーの特徴である。
【００１０】
更なる実施例では、情報データセットのうちの少なくとも１つは、メモリ装置に保存される。このように保存されない情報データセットは、例えば、光学データ記憶媒体に存在しても良い。従って、本発明に従う再生装置では、１つ又は幾つかの光学データ記憶媒体が存在しても良い（データ記憶媒体交換機能を有する再生装置）。更なる実施例では、読み込みユニットは、光学データ記憶媒体から情報データセットを読み込むために存在し、このユニットは、また、制御ユニットへ結合されている。光学データ記憶媒体は、ＣＤ又はＤＶＤであっても良い。
【００１１】
代わりの実施例では、情報データセットを選択するための少なくとも１つの制御要素を有するユーザインターフェースがある。ユーザは、ユーザインターフェースの制御要素により、音声マーカーの再生中に再生されている音声マーカーに含まれる情報データセットを選択することができる。このような制御要素は、再生装置自体に実装されても良く、又は、自動車環境ではステアリングホイールに設けられても良く、又は、音声指示を記録するためのマイクロホンであっても良い。制御要素は、ユーザが再生装置を操作することを可能にする。これによって、情報データセットの選択が可能とされる。
【００１２】
本発明に従う再生装置の更なる実施例では、記録された音声マーカーをアナログ形式からデジタル形式に変換するアナログ−デジタル変換器と、音声マーカーがラウドスピーカーにより再生されるように音声マーカーのデジタル形式を再びアナログ形式に変換するデジタル−アナログ変換器と、メモリ配置内のメモリ空間が特に効率的に使用可能されうるように、情報データセットをメモリ配置に保存する前に圧縮し、メモリ配置から読み出した後にそれらを再び復元する変換ユニットとがある。圧縮処理は、損失を伴う処理及び／又は損失のない圧縮処理であっても良い。これは、ＭＰ３形式へのＰＣＭ音声データの損失を伴う最初の圧縮と、それに続く、例えばＺＩＰ形式への損失のない圧縮処理による圧縮とを可能にする。
【００１３】
更なる実施例では、メモリ配置のメモリモジュールは、再生装置から取り外し可能であるように構成される。前記メモリモジュールは、また、メモリ配置全体を有しても良く、例えば、フラッシュメモリカード又はマイクロドライブ若しくはハードディスクドライブとして実現されても良い。これは、自動車環境では、例えば、再生装置の前面部にあるスライド区画により達成されても良く、更に、メモリモジュールは、再生装置とのデータ交換接続が、スライド区画への挿入の間に作られるように接続要素を設けられる。
【００１４】
更に、本発明は、情報データセットの再生装置を動作する方法に関する。
【発明を実施するための最良の形態】
【００１５】
以下、本発明について実施例及び添付の図面を参照して更に詳細に説明する。
【００１６】
図１は、情報データセット用の本発明に従う再生装置の必須要素を示す。再生装置は、マイクロホン１を有する。マイクロホン１は、音、原則的には話し声を記録する働きを有する。本発明に従って、マイクロホン１は、情報データセットに関連づけられた音声マーカー、即ち、時間的に有限な音響系列を記録する働きを有する。しかし、マイクロホン１は、この機能に限定される必要はない。更に以下で説明するように、マイクロホン１は、また、音声制御式ユーザインターフェースに音声命令を記録するために使用されても良く、あるいは、マイクロホンの一般的な他の機能を満足しても良い。幾つかのマイクロホン、例えば録音品質を改善するようにユーザの周りに配置されたマイクロホン、又は、１つが音声マーカーを記憶し、他の１つが例えば音声命令を記録する幾つかのマイクロホンの使用は、等しく考えられる。図１に示された本発明に従う再生装置は、また、メモリ配置３を有する。情報データセットは、メモリ配置３に保存される。情報データセットは、１つのＣＤの全内容であっても良く、あるいは、情報データセットは、単一のトラック（歌）によって形成されても良い。メモリ配置３は、複数の個々のメモリ又は唯一のメモリユニットから成っても良い。制御ユニット５は、マイクロホン１及びメモリ装置３の両方へ結合されている。制御ユニット５は、音声マーカーを認識するようマイクロホン１を作動させ、その後、夫々の情報データセットに関連づけてこの音声マーカーをメモリ装置３に保存するように構成される。
【００１７】
図２は、更に詳細な実施例において本発明に従う再生装置を示す。図２の再生装置は、複数のメモリモジュール３’、３”から成るメモリユニット３を有する。実施例において、少なくとも１つのメモリモジュール３’、３”又はメモリユニット３全体は、再生装置から取り外し可能である。これは、例えば、メモリ配置３又はメモリモジュール３’若しくは３”が、フラッシュメモリカード又はハードディスクドライブ（ＨＤＤ）として構成されることで実現されても良い。再生装置が、例えばカーラジオとして構成されている場合には、このようなメモリモジュール３’は、前面に挿入されても良く、容易に挿入され、再び取り出されることができるように構成されても良い。また、前記データセットが再生装置によって再生されると直ぐ、異なる装置にある取り外し可能なメモリモジュールに情報データセットを書き込むことがこのような方法では可能である。その場合に、制御ユニット５は、動作中に、音声マーカーが割り当てられていない情報データセットがメモリモジュール３’に保存されていることを認識する。次に、ユーザは、夫々の情報データセットに対して音声マーカーを記録するよう促される。これは、例えば、その通知が表示部に示されることで、又は、適切な光学表示が（例えば、ＬＥＤを点灯させることにより）現れることで、又は、音声警告がラウドスピーカー２により与えられることで起こっても良い。次に、マイクロホン１は、ユーザにより話された音声マーカーが記録され得るように作動する。アナログ−デジタル変換器（ＡＤＣ）７は、本実施例ではマイクロホン１へ結合されている。このＡＤＣ７は、記録された音波からマイクロホン１により変換されたアナログ電気信号を、例えば１６ビットのデジタル分解能を有するデジタル信号に変換する。その場合に、記録された音声マーカーは、例えば、デジタル化された音声マーカーが、メモリモジュール３”、例えばメモリチップに保存され、且つ、ポインタが、メモリモジュール３’において、情報データセットの開始アドレスを指示するデジタル化された音声マーカーと共に保存されることで、関連した情報データセットと共にメモリ配置３にデジタル形式で保存されても良い。
【００１８】
従って、デジタル−アナログ変換器（ＤＡＣ）９は、デジタル化された音声マーカーが、ラウドスピーカー２による音波に変換され得るようデジタル化された音声マーカーをアナログ電気信号に変換するために、ラウドスピーカー２の上流に配置される。
【００１９】
更に、再生装置は、ユーザインターフェース４及び制御ユニット５を有する。例えば、メモリユニット３が再生装置に挿入されている場合に、制御ユニット５は、どのように個々の歌がメモリユニットに存在するのか、又は、歌のまとまりのあるグループがいくつメモリに存在するのかを検査する。
【００２０】
図２の再生装置は、また、光学データ記憶媒体１０用の読み込みユニット６を有する。このような光学データ記憶媒体１０は、例えばＣＤ又はＤＶＤである。歌は、圧縮形式（例えばＭＰ３形式）で、又は非圧縮形式（ＰＣＭ若しくはＷＡＶ形式）でこのような光学データ記憶媒体１０に保存されても良い。単一の歌又は選ばれた歌又は全ての歌は、この光学データ記憶媒体１０から読み出され、メモリ配置３に保存される。情報データセットは、内部設定に依存して、あるいは、ユーザ指示に依存して、単一の歌、読み出された歌の選択、又はＣＤ全体の内容を有する。内部設定又はユーザ指示に依存して、様々な保存された情報データセットは異なる。即ち、例えば、１つの情報データセットは１つの歌のみを有しても良く、他の情報データセットは、場合により異なるデータ記憶媒体から読み出された歌の選択を有しても良く、且つ、更なる他の情報データセットは、ＣＤ全体を有しても良い。更に、本実施例の再生装置は、圧縮及び／又は復元のための変換ユニット８を有するので、情報データセットは、メモリ空間を節約する圧縮形式（例えばＺＩＰ形式）でメモリユニットに保存され、ラウドスピーカー２に送られる前に変換ユニット８の復元部によりその元の非圧縮形式に変換され得る。変換ユニット８の圧縮部は、また、例えば、光学データ記憶媒体１０から読み出された歌を、メモリ空間を節約するＭＰ３形式に変換するために使用されても良い。その後、ＺＩＰ形式への更なる変換が、情報データセットが保存される前に起こっても良い。
【００２１】
情報データセットがメモリ配置３に保存されると、制御ユニット５は、音声マーカーと情報データセットとの間の関連性が、例えば、音声マーカーの夫々の開始アドレスと、情報データセットの夫々の開始アドレスとが連帯してリスト化されている割り当てテーブルの形で作られるように、マイクロホン１を作動させ、光学的、聴覚的、又は触覚的手段によって、音声マーカーが記録可能であるという事実をユーザに知らせ、更に、ユーザにより話された（又は歌われた又は口笛を吹かれた）音声マーカーを記録し、記録された音声マーカーをメモリユニット３に保存する。
【００２２】
再生装置は、ラウドスピーカー２を更に有する。本発明に従って、ラウドスピーカーは、音声マーカーを再生するよう働くが、ラウドスピーカーは、この機能に限定される必要はない。ラウドスピーカーは、また、具体的には音声データセットの場合に、情報データセットを再生するために使用されても良い。あるいは、ラウドスピーカーは、音声命令ユーザインターフェース内の音声解説又は音声要求（例えば、音声マーカーを記録するための要求）を再生するよう働いても良い。複数のラウドスピーカーの使用は、例えば、音声データセット若しくは音声マーカーの同時再生のために又は異なる目的のために、本願では考えられている。
【００２３】
情報データセットにアクセスを望むユーザは、例えば、ユーザインターフェース４の制御要素４’を操作することによって、又は、再生装置への音声命令により、再生装置と通信しても良い。その場合に、制御ユニット５は、メモリ配置３内の割り当てテーブルにアクセスして、割り当てテーブルによりアドレス指定された音声マーカーをメモリ配置３から読み出し、それをラウドスピーカー２へ送ることによって、情報データセットを変換しても良い。ラウドスピーカーは、音声マーカーを再生する。デジタル化された形式である場合には、音声マーカーは、最初に、デジタル−アナログ変換器９によって、デジタル化された形式からアナログ形式に変換されても良い。ユーザ反応（例えば、ユーザインターフェース４の制御要素４’の更なる操作又は適切な音声命令）が次に起こる場合には、制御ユニット５は、割り当てテーブルが指す次の音声マーカーを読み出し、それを再生する。ユーザ反応が次に起こる場合には、制御ユニット５は、メモリユニット３にアクセスし、音声マーカーに含まれる情報データセットを読み出し、これをラウドスピーカー２を介して再生させる。圧縮された情報データセットは、変換ユニット８により、圧縮形式（例えば、メモリ空間を節約するＺＩＰ圧縮）から非圧縮形式に変換されても良い。
【００２４】
図３は、自動車環境のために設計された本発明に従う再生装置を図式的に示す。再生装置は、ここでは、フロントパネル２０に相対するように示されている。フロントパネル２０は、情報データセットに関する情報を示すための表示部を有する。ＣＤの挿入及び排出のための挿入スロット２１があり、例えばフラッシュメモリカード又はマイクロドライバのような取り外し可能なメモリモジュール用のスライド区画２２がある。更に、フロントパネル２０には制御要素４”があり、更なる制御要素４’は、ユーザが自身の注意を道路からそらさずに制御動作を容易に実行することが出来るように、車のステアリングホイール３０に置かれている。音声マーカーを記録するためのマイクロホン１及び記録された音声マーカーを再生するためのラウドスピーカー２は、また、再生装置の一部を形成している。
【００２５】
自動車環境における本発明に従う再生装置の動作の２つの異なる例を以下に与える。
【００２６】
１．  幾つかの圧縮された情報データセットが、既に、ＭＰ３形式でメモリ配置３に保存されている。これらの情報データセットの夫々は、メモリ配置３に保存された関連した音声マーカーを有する。この場合に、ユーザは、読み出しユニット６に光学データ記憶媒体を挿入する。制御ユニット５は、光学データ記憶媒体を認識し、ラウドスピーカー２を介して音声質問「ＣＤをメモリにコピーしますか？」を発する。ユーザは、車のステアリングホイール３０上にある制御要素４’を操作することによって、これを肯定する。続いて、制御ユニット５は、ラウドスピーカー２を介して音声命令「音声マーカーを記録してください。」を与え、マイクロホン１をオンに切り替える。この場合に、ユーザは、例えば「ポップミュージック・コレクション２」といった音声マーカーをマイクロホン１に話しかける。記録された音声マーカーは、ＡＤＣ７でデジタル化され、メモリ配置３内の割り当てテーブルに書き込まれる。このとき、制御ユニット５は、ＣＤを読み込み、その内容を、変換ユニット８でのＭＰ３形式への変換及び圧縮の後に、メモリ配置３に書き込み始める。
【００２７】
２．  ユーザは、自身の希望に従って、異なる機器を用いて、例えばフラッシュメモリカード又はＨＤＤのようなメモリモジュール３’に情報データセットを書き込んでいる。車に乗っている場合に、ユーザは、メモリモジュール３’をスライド区画２２に挿入する。制御ユニット５は、新しく挿入されたメモリモジュールを検出し、情報データセットに関連づけられた保存された音声マーカーがないことを認識する。この場合に、制御ユニット５は、ラウドスピーカー２を介して音声質問「新しい音声マーカーを記録しますか？」を発する。ユーザは、制御要素４’を操作することによってこれを肯定する。その場合に、制御ユニット５は、メモリモジュールから第１の情報データセットの部分を読み出し、ラウドスピーカー２を介してその内容を再生する。次に、制御ユニット５は、ラウドスピーカー２を介して音声命令「音声マーカーを記録してください。」を与え、マイクロホン１を作動させる。ユーザは、例えば「モーツァルト・ソナタ」といった音声マーカーをマイクロホン１に話しかける。制御ユニット５は、メモリ配置３内の割り当てテーブルに音声マーカーを保存する。次に、制御ユニット５は、次の情報データセットの一部を読み出し、それをラウドスピーカー２を介して再生する。この処理は、全ての情報データセットが関連づけられた保存音声マーカーを与えられるまで繰り返される。
【００２８】
これらの例は、本発明に従う再生装置の動作方法を明らかにする役割を果たし、限定するようにみなされるべきではない。如何なる他の音声命令も、（例えば、制御要素の異なる振動系列を用いるユーザとの触覚的通信による）音声命令を用いない実施例と同じように考えられる。代わりの圧縮形式及び圧縮方法が、また、本発明に含まれていると考えられるべきである。
【図面の簡単な説明】
【００２９】
【図１】本発明に従う再生装置の必須要素を示す。
【図２】更に詳細な実施例において本発明に従う再生装置を示す。
【図３】自動車利用のための本発明に従う再生装置を示す。
【図１】
2007519152.tif 000003
【図２】
2007519152.tif 000004
【図３】
2007519152.tif 000005
【国際調査報告】
2007519152.tif 000006
2007519152.tif 000007